(57)【特許請求の範囲】
【請求項１】
取付金具が天井面に設置されている引掛シーリングに係合されることで天井に固定される器具本体と、
前記器具本体の下方に配置され、周辺部から中央部に向かって斜め下方に傾斜する傾斜面を備え、前記中央部における前記取付金具に対応する位置に開口が形成され、前記開口に、前記傾斜面に連続する表面を備える蓋が取り付けられ、前記蓋が取り付けられることで山形の断面形状が形成される反射板と、
前記器具本体に取り付けられると共に、前記反射板の外側に位置し、前記反射板の外側から前記反射板に向かって光を照射するＬＥＤを備えるＬＥＤ発光部と、
前記反射板の下方に配置されるパネルカバーと、を備え、
前記反射板の前記傾斜面の表面には凹凸が形成され、前記ＬＥＤが発した光が前記凹凸で反射され、その反射光が、前記蓋の直下の部分を含む前記パネルカバー全体に照射される照明器具。
【発明の詳細な説明】
【技術分野】
【０００１】
本発明は、天井面に直接設置されてシーリングライト等に適用される照明器具に関する。
【背景技術】
【０００２】
従来より、天井面に固定される器具本体と、ＬＥＤに光学的に結合するとともに器具本体に対してＬＥＤの光が出射する方向を変化させるように回動可能に連結された導光体とを備える照明器具が知られている（例えば、特許文献１参照）。
【先行技術文献】
【特許文献】
【０００３】
【特許文献１】特許第４３６３３８７号公報（図１、請求項１）
【発明の概要】
【発明が解決しようとする課題】
【０００４】
特許文献１は、導光体を器具本体に体して回動させることにより、配光を容易に変更できる。
ところが、特許文献１のような従来の照明器具は、ＬＥＤの粒が発光する際に生ずる粒感を消す構造や構成が必要である。
しかし、従来の照明器具は、この粒感を消す方法として、床面に対して床面側へＬＥＤを向けた直射式を採用した場合、ＬＥＤと床面の間に拡散パネルを使用しなくてはならなかった。
【０００５】
さらに、従来の照明器具は、拡散パネルを、ＬＥＤから、ある程度距離を置いて配置しないと粒感をなくすことができない。
従って、従来の照明器具は、その制約上、天井面からの高さが必要となり、薄さ感を実現できない。
【０００６】
一方、粒感を消す方法として、反射式を採用した場合、反射板を利用するために、ＬＥＤから離れた場所のパネルが暗くなる。
そのため、従来の照明器具は、器具中心に天井への固定用の引掛シーリングを使用するが、器具中心に、その構成を備えなければならず、その部分が空洞、あるいは、発光していないために、暗くなる。
【０００７】
本発明は、前述した課題を解決するためになされたものであり、その目的は、ＬＥＤ発光部からの光の損失をなくして器具中心を明るく照射でき、パネルを均一に照射できる照明器具を提供することにある。
【課題を解決するための手段】
【０００８】
本発明に係る照明器具は、取付金具が天井面に設置されている引掛シーリングに係合されることで天井に固定される器具本体と、前記器具本体の下方に配置され、周辺部から中央部に向かって斜め下方に傾斜する傾斜面を備え、前記中央部における前記取付金具に対応する位置に開口が形成され、前記開口に、前記傾斜面に連続する表面を備える蓋が取り付けられ、前記蓋が取り付けられることで山形の断面形状が形成される反射板と、前記器具本体に取り付けられると共に、前記反射板の外側に位置し、前記反射板の外側から前記反射板に向かって光を照射するＬＥＤを備えるＬＥＤ発光部と、前記反射板の下方に配置されるパネルカバーと、を備え、前記反射板の前記傾斜面の表面には凹凸が形成され、前記ＬＥＤが発した光が前記凹凸で反射され、その反射光が、前記蓋の直下の部分を含む前記パネルカバー全体に照射される。
【発明の効果】
【００１１】
本発明に係る照明器具によれば、ＬＥＤ発光部からの光の損失をなくして器具中心を明るく照射でき、パネルを均一に照射できるという効果を奏する。
【図面の簡単な説明】
【００１２】
【図１】本発明に係る一実施形態の照明器具の垂直断面図
【図２】本発明に係る一実施形態の照明器具の斜め上方から視た分解斜視図
【図３】本発明に係る一実施形態の照明器具の光学的特性を説明する一部破断垂直断面図
【発明を実施するための形態】
【００１３】
以下、本発明に係る一実施形態の照明器具について図面を参照して説明する。
図１に示すように、本発明に係る一実施形態の照明器具１０は、器具本体１１と、器具本体１１の上面に取り付けられる上部ＬＥＤ発光部１２と、上部ＬＥＤ発光部１２の上部を覆う上部枠１３とを備える。
また、照明器具１０は、上部枠１３の上部に取り付けられる上部パネル１４と、器具本体１１の下面に取り付けられる反射板１５と、反射板１５の下面に配置される下部ＬＥＤ発光部１６とを備える。
【００１４】
そして、照明器具１０は、反射板１５の下面に取り付けられる透過性を有するパネルカバー１７を備える。
照明器具１０は、天井面１に設置されている引掛シーリング２に係合されることにより、引掛シーリング２に機械的に取り付けられて電気的に接続される取付金具１８を器具本体１１の中央部に有する。
【００１５】
上部ＬＥＤ発光部１２は、ＬＥＤ基板１９に複数のＬＥＤ２０が封止され、ＬＥＤ２０が器具本体１１の上面において側方に照射方向を向けて取り付けられる。上部ＬＥＤ発光部１２の側部には、透過性を有するレンズカバー２１が取り付けられる。
上部ＬＥＤ発光部１２は、ＬＥＤ基板１９に有する不図示のプリント回路が、取付金具１８に電気的に接続された不図示の電源ユニットに電気的に接続される。
そのため、上部ＬＥＤ発光部１２は、電源ユニットの駆動に伴い、ＬＥＤ２０が、レンズカバー２１を通じて器具本体１１の側部および天井面１に向けて光を出射する。
【００１６】
下部ＬＥＤ発光部１６は、ＬＥＤ基板２２に複数のＬＥＤ２３が封止され、ＬＥＤ２３が器具本体１１の下面において中央部に照射方向を向けて取り付けられる。
下部ＬＥＤ発光部１６は、ＬＥＤ基板２２に有する不図示のプリント回路が、取付金具１８に電気的に接続された不図示の電源ユニットに電気的に接続される。
そのため、下部ＬＥＤ発光部１６は、電源ユニットの駆動に伴い、レンズ２４を介して、ＬＥＤ２３が、器具本体１１の中央部に向けて光を出射する。
【００１７】
反射板１５は、逆四角錐形状（山形）に形成されて、中央の頂部２５に小判形状の開口部２６が形成されており、器具本体１１の下面において、下部ＬＥＤ発光部１６の内側に取り付けられる。
なお、反射板１５は、屋根形状やピラミッド形状であってもよい。
反射板１５は、開口部２６に蓋２７が装着されており、床面に向けて突出する頂部２５の上方に引掛シーリング２に係合される取付金具１８が収容される。
反射板１５は、頂部２５よりも上方に配置される外縁部２８が器具本体１１の外縁部に取り付けられる。反射板１５は、頂部２５と外縁部２８との間に、凹凸部２９が形成される。
【００１８】
図２に示すように、器具本体１１は、例えばアルミニウムダイカスト製の厚みの薄い板部材を打ち抜き加工することにより四角形に形成される。
そして、上部枠１３と、上部パネル１４と、反射板１５と、パネルカバー１７とが、器具本体１１に相似する四角形に形成される。
上部ＬＥＤ発光部１２は、上部枠１３の四辺に沿って複数配置される。これとは異なり、下部ＬＥＤ発光部１６は、反射板１５の対向位置に複数配置される。
反射板１５は、凹凸部２９が、下部ＬＥＤ発光部１６からの光照射方向に対して交差する方向に沿って凹形状および凸形状を連続して有する。
凹凸部２９は、並行リブ形状や凹凸の溝形状や凸の梨地や凹のディンプルや凹凸の格子形状である。
【００１９】
次に、照明器具１０の光学的な特性について説明する。
図３に示すように、電源ユニットが駆動されるのに伴い、上部ＬＥＤ発光部１２においてＬＥＤ基板１９を通じてＬＥＤ２０に給電されることにより、ＬＥＤ２０が、レンズカバー２１を通じて器具本体１１の側部および天井面１に向けて光を出射する。
同時に、電源ユニットが駆動されるのに伴い、下部ＬＥＤ発光部１６においてＬＥＤ基板２２を通じてＬＥＤ２３に給電されることにより、ＬＥＤ２３が、レンズ２４を介して、器具本体１１の中央部に向けて光を出射する。
【００２０】
このとき、器具本体１１の中央部に向けて出射された下部ＬＥＤ発光部１６のＬＥＤ２３からの光成分は、下部ＬＥＤ発光部１６の前面である器具本体１０の中心側に反射板１５が配置されているために、反射板１５の開口部２６および蓋２７を照射する。
同時に、反射板１５に照射されたＬＥＤ２３からの光成分は、反射板１５における頂部２５と外縁部２８との間において、凹凸部２９によりパネルカバー１７に向けて反射される。
そのため、反射板１５に照射されたＬＥＤ２３からの光成分は、反射板１５に凹凸部２９を有さない場合と比べて、パネルカバー１７に透過される光量が飛躍的に増大する。
【００２１】
以上、説明した本発明に係る一実施形態の照明器具１０によれば、器具中心を明るく照射でき、反射板１５において反射した多くの光量の光をパネルカバー１７へ透過させて、ルーメン（Ｌｍ）が低下することなく、パネルカバー１７の全体を均一に発光できる。
そして、照明器具１０によれば、反射板１５の凹凸部２９が、下部ＬＥＤ発光部１６からの光をパネルカバー１７へ強制的に反射させることにより、全ての光を無駄なく透過できる。
【００２２】
また、照明器具１０によれば、下部ＬＥＤ発光部１６からの光の照射方向に対して交差する方向に沿って連続する反射板１５の凹凸部２９により、下部ＬＥＤ発光部１６からの光成分を効率よくパネルカバー１７に誘導できる。
【００２３】
そして、照明器具１０によれば、反射板１５の開口部２６に蓋２７が装着され、反射板１５の頂部２５の上方に、引掛シーリング２に係合される取付金具１８が収容されるために、取付金具１８の位置周辺を明るく照射できる。
【００２４】
なお、本発明の照明器具において器具本体，上部枠，上部パネル，パネルカバー，取付金具，ＬＥＤ発光部等は、前述した一実施形態に限定されるものでなく、適宜な変形や改良等が可能である。
【符号の説明】
【００２５】
２  引掛シーリング
１０  照明器具
１１  器具本体
１２  上部ＬＥＤ発光部（ＬＥＤ発光部）
１５  反射板
１６  下部ＬＥＤ発光部（ＬＥＤ発光部）
１７  パネルカバー
１８  取付金具
２６  開口部
２７  蓋
２９  凹凸部
【図１】
0005830700.tif 000002
【図２】
0005830700.tif 000003
【図３】
0005830700.tif 000004